【手続補正書】
【提出日】平成25年2月27日(2013.2.27)
【手続補正１】
【補正対象書類名】特許請求の範囲
【補正対象項目名】全文
【補正方法】変更
【補正の内容】
【特許請求の範囲】
【請求項１】
注目画素を中心として予め設定された設定領域内に含まれる各画素における複数の色版の画素値の組み合わせ条件に基づいて、前記領域の特徴量を算出する特徴量算出手段と、
前記特徴量算出手段により算出された設定領域の特徴量に基づいて、複数の色版によって構成されるハーフトーン処理されたＮ値画像の色版毎に、前記注目画素がトラッピング処理を行うべき画素であるか否かを判定するトラッピング判定手段と、
前記注目画素の画素値を決定する際に参照すべき画素の位置を色版毎に設定し、前記設定された参照すべき画素の位置における色版毎の画素値に基づいて、前記注目画素の画素値を算出する画素値算出手段と、
前記トラッピング判定手段が、前記注目画素がトラッピング処理を行うべき画素であると判定した場合に、前記Ｎ値画像内の注目画素に対応する画素値を、前記画素値算出手段により算出された画素値とする注目画素値決定手段と
を備えていることを特徴とする画像処理装置。
【請求項２】
前記特徴量算出手段で使用される領域の大きさを、画像を出力する出力部の仕様又はユーザの入力に応じて変更する変更手段を備えることを特徴する請求項１に記載の画像処理装置。
【請求項３】
前記注目画素の画素値を決定する際に参照すべき画素は、前記注目画素の画素値が決定されても、前記ハーフトーン処理されたＮ値画像が有する周期構造を維持する位置に設定されることを特徴とする請求項１又は２に記載の画像処理装置。
【請求項４】
前記Ｎ値画像は、ハーフトーン処理された２値画像であることを特徴とする請求項１乃至３のいずれか１項に記載の画像処理装置。
【請求項５】
前記複数の色版の画素値の組み合わせ条件は、第１の色版の画素値が最大値であり且つ第２の色版を含む他の色版の画素値が０である第１条件と、前記第２の色版の画素値が最大値であり且つ前記第１の色版の画素値が０である第２条件とを含み、
前記特徴量算出手段は、前記設定領域の特徴量として、前記設定領域に含まれる前記第1条件を満たす第１の画素数及び前記設定領域に含まれる前記第2条件を満たす第２の画素数を算出し、
前記トラッピング判定手段は、前記第１の画素数が第１の閾値以上であり、且つ前記第２の画素数が第２の閾値以上である場合に、前記注目画素がトラッピング処理を行うべき画素であると判定する
ことを特徴とする請求項４に記載の画像処理装置。
【請求項６】
前記Ｎ値画像は、ハーフトーン処理された４値画像であることを特徴とする請求項１乃至３のいずれか１項に記載の画像処理装置。
【請求項７】
前記複数の色版の画素値の組み合わせ条件は、第１の色版の画素値が最大値であり且つ第２の色版を含む他の色版の画素値が０である第１条件と、前記第１の色版の画素値が２番目に大きな値であり且つ前記第２の色版を含む他の色版の画素値が０である第２条件と、前記第２の色版の画素値が最大値であり且つ前記第１の色版の画素値が０である第３条件と、前記第２の色版の画素値が２番目に大きな値であり且つ前記第１の色版の画素値が０である第４条件とを含み、
前記特徴量算出手段は、前記設定領域の特徴量として、前記領域に含まれる前記第１条件を満たす第１の画素数、前記設定領域に含まれる前記第2条件を満たす第２の画素数、前記設定領域に含まれる前記第３条件を満たす第３の画素数、及び前記設定領域に含まれる前記第４条件を満たす第４の画素数を算出し、
前記トラッピング判定手段は、前記第１の画素数が第１の閾値以上であるか、又は前記第１の画素数が前記第１の閾値以下の第２の閾値以上であり且つ前記第２の画素数が第３の閾値以上であり、さらに、前記第３の画素数が第４の閾値以上であるか、又は前記第３の画素数が前記第４の閾値以下の第５の閾値以上であり且つ前記第４の画素数が第６の閾値以上である場合に、前記注目画素がトラッピング処理を行うべき画素であると判定する
ことを特徴とする請求項６に記載の画像処理装置
【請求項８】
コンピュータを、
注目画素を中心として予め設定された設定領域内に含まれる各画素における複数の色版の画素値の組み合わせ条件に基づいて、前記領域の特徴量を算出する特徴量算出手段、
前記特徴量算出手段により算出された設定領域の特徴量に基づいて、複数の色版によって構成されるハーフトーン処理されたＮ値画像の各色版毎に、前記注目画素がトラッピング処理を行うべき画素であるか否かを判定するトラッピング判定手段、前記注目画素の画素値を変更する際に参照すべき画素の位置を色版毎に設定し、前記設定された参照すべき画素の位置における色版毎の画素値に基づいて、前記注目画素の画素値を算出する画素値算出手段、及び
前記トラッピング判定手段が、前記注目画素がトラッピング処理を行うべき画素であると判定した場合に、前記Ｎ値画像内の注目画素に対応する画素値を、前記画素値算出手段により算出された画素値とする注目画素値決定手段
として機能させることを特徴とするプログラム。
【手続補正２】
【補正対象書類名】明細書
【補正対象項目名】０００６
【補正方法】変更
【補正の内容】
【０００６】
請求項１に係る発明は、注目画素を中心として予め設定された設定領域内に含まれる各画素における複数の色版の画素値の組み合わせ条件に基づいて、前記領域の特徴量を算出する特徴量算出手段と、前記特徴量算出手段により算出された設定領域の特徴量に基づいて、複数の色版によって構成されるハーフトーン処理されたＮ値画像の色版毎に、前記注目画素がトラッピング処理を行うべき画素であるか否かを判定するトラッピング判定手段と、前記注目画素の画素値を決定する際に参照すべき画素の位置を色版毎に設定し、前記設定された参照すべき画素の位置における色版毎の画素値に基づいて、前記注目画素の画素値を算出する画素値算出手段と、前記トラッピング判定手段が、前記注目画素がトラッピング処理を行うべき画素であると判定した場合に、前記Ｎ値画像内の注目画素に対応する画素値を、前記画素値算出手段により算出された画素値とする注目画素値決定手段とを備えていることを特徴とする画像処理装置である。
【手続補正３】
【補正対象書類名】明細書
【補正対象項目名】０００７
【補正方法】変更
【補正の内容】
【０００７】
請求項２に係る発明は、前記特徴量算出手段で使用される領域の大きさを、画像を出力する出力部の仕様又はユーザの入力に応じて変更する変更手段を備えることを特徴する請求項１に記載の画像処理装置である。
【手続補正４】
【補正対象書類名】明細書
【補正対象項目名】０００８
【補正方法】変更
【補正の内容】
【０００８】
請求項３に係る発明は、前記注目画素の画素値を決定する際に参照すべき画素は、前記注目画素の画素値が決定されても、前記ハーフトーン処理されたＮ値画像が有する周期構造を維持する位置に設定されることを特徴とする請求項１又は２に記載の画像処理装置である。
【手続補正５】
【補正対象書類名】明細書
【補正対象項目名】０００９
【補正方法】変更
【補正の内容】
【０００９】
請求項４に係る発明は、前記Ｎ値画像は、ハーフトーン処理された２値画像であることを特徴とする請求項１乃至３のいずれか１項に記載の画像処理装置である。
【手続補正６】
【補正対象書類名】明細書
【補正対象項目名】００１０
【補正方法】変更
【補正の内容】
【００１０】
請求項５に係る発明は、前記複数の色版の画素値の組み合わせ条件は、第１の色版の画素値が最大値であり且つ第２の色版を含む他の色版の画素値が０である第１条件と、前記第２の色版の画素値が最大値であり且つ前記第１の色版の画素値が０である第２条件とを含み、前記特徴量算出手段は、前記設定領域の特徴量として、前記設定領域に含まれる前記第1条件を満たす第１の画素数及び前記設定領域に含まれる前記第2条件を満たす第２の画素数を算出し、前記トラッピング判定手段は、前記第１の画素数が第１の閾値以上であり、且つ前記第２の画素数が第２の閾値以上である場合に、前記注目画素がトラッピング処理を行うべき画素であると判定することを特徴とする請求項４に記載の画像処理装置である。
【手続補正７】
【補正対象書類名】明細書
【補正対象項目名】００１１
【補正方法】変更
【補正の内容】
【００１１】
請求項６に係る発明は、前記Ｎ値画像は、ハーフトーン処理された４値画像であることを特徴とする請求項１乃至３のいずれか１項に記載の画像処理装置である。
【手続補正８】
【補正対象書類名】明細書
【補正対象項目名】００１２
【補正方法】変更
【補正の内容】
【００１２】
請求項７に係る発明は、前記複数の色版の画素値の組み合わせ条件は、第１の色版の画素値が最大値であり且つ第２の色版を含む他の色版の画素値が０である第１条件と、前記第１の色版の画素値が２番目に大きな値であり且つ前記第２の色版を含む他の色版の画素値が０である第２条件と、前記第２の色版の画素値が最大値であり且つ前記第１の色版の画素値が０である第３条件と、前記第２の色版の画素値が２番目に大きな値であり且つ前記第１の色版の画素値が０である第４条件とを含み、前記特徴量算出手段は、前記設定領域の特徴量として、前記領域に含まれる前記第１条件を満たす第１の画素数、前記設定領域に含まれる前記第2条件を満たす第２の画素数、前記設定領域に含まれる前記第３条件を満たす第３の画素数、及び前記設定領域に含まれる前記第４条件を満たす第４の画素数を算出し、前記トラッピング判定手段は、前記第１の画素数が第１の閾値以上であるか、又は前記第１の画素数が前記第１の閾値以下の第２の閾値以上であり且つ前記第２の画素数が第３の閾値以上であり、さらに、前記第３の画素数が第４の閾値以上であるか、又は前記第３の画素数が前記第４の閾値以下の第５の閾値以上であり且つ前記第４の画素数が第６の閾値以上である場合に、前記注目画素がトラッピング処理を行うべき画素であると判定することを特徴とする請求項６に記載の画像処理装置である。
【手続補正９】
【補正対象書類名】明細書
【補正対象項目名】００１３
【補正方法】変更
【補正の内容】
【００１３】
請求項８に係る発明によればコンピュータを、注目画素を中心として予め設定された設定領域内に含まれる各画素における複数の色版の画素値の組み合わせ条件に基づいて、前記領域の特徴量を算出する特徴量算出手段、前記特徴量算出手段により算出された設定領域の特徴量に基づいて、複数の色版によって構成されるハーフトーン処理されたＮ値画像の各色版毎に、前記注目画素がトラッピング処理を行うべき画素であるか否かを判定するトラッピング判定手段、前記注目画素の画素値を変更する際に参照すべき画素の位置を色版毎に設定し、前記設定された参照すべき画素の位置における色版毎の画素値に基づいて、前記注目画素の画素値を算出する画素値算出手段、及び前記トラッピング判定手段が、前記注目画素がトラッピング処理を行うべき画素であると判定した場合に、前記Ｎ値画像内の注目画素に対応する画素値を、前記画素値算出手段により算出された画素値とする注目画素値決定手段
として機能させることを特徴とするプログラムである。